(57)【要約】【課題】ＶＧＡサイズの情報量と汎用表示機器表示部分の情報量を比較すると、ＶＧＡサイズの情報量が汎用表示機器表示部分の情報量よりも大きいためにＶＧＡサイズの全ての情報を汎用表示機器にて表示することができない。【解決手段】ＰＣ上で作成または加工した画像データを所定の縮小率にて画像データを縮小する画像データ縮小手段を有し、画像データ縮小手段で画像データを縮小するとともに、さらにあらかじめ決められた規格画像サイズに一致するように前記縮小された画像データの周辺に空白データを付加する。【選択図】  図１
2004240165.tif 000002
【特許請求の範囲】
【請求項１】
ＰＣ上で作成または加工した画像データを所定の縮小率にて画像データを縮小する画像データ縮小手段を有し、前記画像データ縮小手段で画像データを縮小するとともに、さらにあらかじめ定められた画像サイズに一致するように前記縮小された画像データの周辺に空白データを付加することを特徴とした画像生成方法。
【請求項２】
ＰＣ上で作成または加工した画像データの余白部分を検知する余白検知手段を有し、検知された前記余白部分の大きさに応じた縮小率にて画像データを縮小することを特徴とした請求項１記載の画像生成方法。
【請求項３】
ＰＣ上で作成または加工した複数の画像データにおける余白部分を検知する余白検知手段と、それぞれの検知された余白部分の画像データを比較するデータ比較手段を有し、余白部分が一番少ない画像データの大きさに応じた縮小率にて全ての画像データを縮小することを特徴とした請求項１記載の画像生成方法。
【請求項４】
前記定められた画像サイズの大きさは、ＶＧＡサイズであることを特徴とした請求項１から請求項３記載の画像生成方法。
【請求項５】
ＰＣ上で作成または加工した画像データを所定の縮小率にて画像データを縮小する画像データ縮小手段を有し、前記画像データ縮小手段で画像データを縮小するとともに、さらにあらかじめ定められた画像サイズに一致するように前記縮小された画像データの周辺に空白データを付加することを特徴とした画像生成装置。
【請求項６】
ＰＣ上で作成または加工した画像データの余白部分を検知する余白検知手段を有し、検知された前記余白部分の大きさに応じた縮小率にて画像データを縮小することを特徴とした請求項２記載の画像生成装置。
【請求項７】
ＰＣ上で作成または加工した複数の画像データにおける余白部分を検知する余白検知手段と、それぞれの検知された余白部分の画像データを比較するデータ比較手段を有し、余白部分が一番少ない画像データの大きさに応じた縮小率にて全ての画像データを縮小することを特徴とした請求項２記載の画像生成装置。
【請求項８】
前記定められた画像サイズの大きさは、ＶＧＡサイズであることを特徴とした請求項５から請求項７記載の画像生成装置。
【請求項９】
ＰＣ上で作成または加工した画像データを所定の縮小率にて画像データを縮小する画像データ縮小手段を有し、前記画像データ縮小手段で画像データを縮小するとともに、さらにあらかじめ定められた画像サイズに一致するように前記縮小された画像データの周辺に空白データを付加することを特徴とした画像生成プログラムを記録した記録メディア。
【請求項１０】
ＰＣ上で作成または加工した画像データの余白部分を検知する余白検知手段を有し、検知された前記余白部分の大きさに応じた縮小率にて画像データを縮小することを特徴とした請求項３記載の画像生成プログラムを記録した記録メディア。
【請求項１１】
ＰＣ上で作成または加工した複数の画像データにおける余白部分を検知する余白検知手段と、それぞれの検知された余白部分の画像データを比較するデータ比較手段を有し、余白部分が一番少ない画像データの大きさに応じた縮小率にて全ての画像データを縮小することを特徴とした請求項３記載の画像生成プログラムを記録した記録メディア。
【請求項１２】
前記定められた画像サイズの大きさは、ＶＧＡサイズであることを特徴とした請求項９から請求項１１記載の画像生成プログラムを記録した記録メディア。
【発明の詳細な説明】
【０００１】
【発明の属する技術分野】
本発明は、ＰＣ上で作成もしくは加工された画像データを汎用表示機器にて再生するための画像データ生成に関する。
【０００２】
【従来の技術】
図５はＶＧＡサイズと汎用表示機器表示部分との関係を示している。
【０００３】
図５で示されるように、ＶＧＡサイズの情報量と汎用表示機器表示部分の情報量を比較すると、ＶＧＡサイズの情報量が汎用表示機器表示部分の情報量よりも大きいためにＶＧＡサイズの全ての情報を汎用表示機器にて表示することができない。
【０００４】
そこで、従来の技術は、表示画面として使用できる画像領域のＸ値とＹ値とをオペレーティングシステムのレベルで小さくすると共に、汎用映像機器に出力する映像信号を、走査信号のトリガー信号に対して所定時間遅らせて汎用映像機器に出力することを特徴としている（例えば特許文献１参照。）。
【０００５】
【特許文献１】
特開平７−１２９１３８号公報
【０００６】
【発明が解決しようとする課題】
しかしながら、従来の技術でパーソナルコンピュータの表示画像を汎用映像機器にて出力しようとした場合、パーソナルコンピュータ上で表示画像の画像領域を縮小した後、汎用映像機器に出力する映像信号を走査信号のトリガー信号に対して所定時間遅らせて汎用映像機器に出力するための遅延回路が必要となり、回路構成が複雑になる。
【０００７】
また、汎用映像機器は一般的に機器それぞれにおいて出力可能領域が異なっており、従来の技術であればパーソナルコンピュータの表示画像を汎用映像機器にて出力しようとした場合には、オペレーティングシステムのレベルで縮小サイズを設定し、かつ、遅延回路にて出力のトリガー信号の遅延量を設定するという２重の設定が必要となってくる。
【０００８】
【課題を解決するための手段】
上記課題を解決するために本発明は、ＰＣ上で作成または加工した画像データを所定の縮小率にて画像データを縮小する画像データ縮小手段を有し、前記画像データ縮小手段で画像データを縮小するとともに、さらにあらかじめ定められた画像サイズに一致するように前記縮小された画像データの周辺に空白データを付加することによって汎用表示機器画面に表示することが可能となる。
【０００９】
【発明の実施の形態】
請求項１、５および９に記載の本発明は、ＰＣ上で作成または加工した画像データを所定の縮小率にて画像データを縮小する画像データ縮小手段を有し、前記画像データ縮小手段で画像データを縮小するとともに、さらにあらかじめ定められた画像サイズに一致するように前記縮小された画像データの周辺に空白データを付加することを特徴とする。
【００１０】
前記記載の発明により、画像データの表示部の大きさを自由に調整し、かつ、画像サイズとしては規格サイズとなるため、余分な回路を使用しないでも汎用表示機器画面上に画像データが切れることなく表示することが可能となる。
【００１１】
請求項２、６および１０に記載の本発明は、請求項１、５および９において、ＰＣ上で作成または加工した画像データの余白部分を検知する余白検知手段を有し、検知された前記余白部分の大きさに応じた縮小率にて画像データを縮小することを特徴とする。
【００１２】
前記記載の発明により、画像データの表示部の大きさが自動的に調整され、かつ、画像サイズとしては規格サイズとすることが可能となる。
【００１３】
請求項３、７および１１に記載の本発明は、請求項１、５および９において、ＰＣ上で作成または加工した複数の画像データにおける余白部分を検知する余白検知手段と、それぞれの検知された余白部分の画像データを比較するデータ比較手段を有し、余白部分が一番少ない画像データの大きさに応じた縮小率にて全ての画像データを縮小することを特徴とする。
【００１４】
前記記載の発明により、複数の画像データにおける表示部の大きさが自動的に調整され、かつ、画像サイズとしては規格サイズとすることが可能となる。
【００１５】
（実施の形態１）
本発明の請求項１、５および９の発明に関する実施の形態について図面を用いて説明する。
【００１６】
図１に本発明における画像生成方法のブロック図を示す。画像データ取得部１、画像縮小率入力部２、画像データ縮小部３、余白部分付加部４、画像データ出力部５から構成される。
【００１７】
図２は、縮小率を９０％に設定した場合の画像データの構成を示す。上記構成における作用を説明する。
【００１８】
画像データ取得部１において画像データを取り込む、また、画像縮小率入力部２にてユーザは任意の縮小率を入力する。前記入力された縮小率にて前記画像データの縮小を画像データ縮小部３にて行い、前記縮小された画像データに余白部分付加部４にてＶＧＡサイズになるように余白部を付加し、画像データ出力部５にて画像データとして出力する。
【００１９】
例えば、縮小率を９０％と設定した場合は図３に示されるような状態となる。図２に示されるように、縮小されたデータはＸ１＝５７６ピクセル、Ｙ１＝４３２ピクセルとなり、左右にそれぞれ３２ピクセル、上下にそれぞれ２４ピクセルの余白が付加されている。この時縮小されたデータがＴＶの表示サイズよりも小さければ画像データが見えなくなることがなくなる。一般的にはこの画像データが切れなくなる縮小率は９０％となっている。
【００２０】
ここでは画像生成方法を説明したが、その方法を用いた画像生成装置及びその方法を記録した記録メディアについても同様の効果を得ることができることは言うまでもない。
【００２１】
（実施の形態２）
本発明の請求項２、６および１０の発明に関する実施の形態について図面を用いて説明する。
【００２２】
図３は本発明における画像生成方法のブロック図を示す。画像データ取得部１、画像サイズ検知部６、画像データ縮小部３、余白部分付加部４、画像データ出力部５から構成される。
【００２３】
図４は、元画像データの構成を示す。
【００２４】
上記構成における作用を説明する。
【００２５】
画像データ取得部１において画像データを取り込む、また、画像サイズ検出部６にて実際の画像サイズの検知を行い、縮小率を決定する。前記入力された縮小率にて前記画像データの縮小を画像データ縮小部３にて行い、前記縮小された画像データに余白部分付加部４にてＶＧＡサイズになるように余白部を付加し、画像データ出力部５にて画像データとして出力する。
【００２６】
例えば、図４に示されるような画像データにおいて最終的な縮小率を９０％と設定し、画像サイズ検知部において検知された元画像の大きさがＸ４＝６００ピクセル、Ｙ４＝４５０ピクセルである場合、画像サイズ検知部において決定される縮小率は９６％となり、最終的な画像データは図２に示されるようにＸ１＝５７６ピクセル、Ｙ１＝４３２ピクセルとなり、左右にそれぞれ３２ピクセル、上下にそれぞれ２４ピクセルの余白が付加されている。この時縮小されたデータがＴＶの表示サイズよりも小さければ画像データが見えなくなることがなくなる。
【００２７】
請求項３、７および１１の発明に関しては、取り扱う画像データを複数にし、その中で縮小率が最大のものを選択することを特徴とする。
【００２８】
ここでは画像サイズとしてＶＧＡサイズを一例にして実施の形態を説明したが、規格で決められた他のサイズについても同様の効果があることは言うまでもない。
【００２９】
また、ここでは画像生成方法を説明したが、その方法を用いた画像生成装置及びその方法を記録した記録メディアについても同様の効果を得ることができることは言うまでもない。
【００３０】
【発明の効果】
以上のように本発明によれば、ＰＣ上で作成または加工した画像データを所定の縮小率にて画像データを縮小する画像データ縮小手段を有し、前記画像データ縮小手段で画像データを縮小するとともに、さらにあらかじめ決められた規格画像サイズに一致するように前記縮小された画像データの周辺に空白データを付加することにより、汎用表示機器に画像を切れることなく表示することが可能となる。
【図面の簡単な説明】
【図１】本発明の実施の形態１における画像生成方法のブロック図
【図２】本発明の実施の形態１における縮小された画像データの構成図
【図３】本発明の実施の形態２における画像生成方法のブロック図
【図４】本発明の実施の形態２における元画像データの構成図
【図５】ＶＧＡサイズの情報量と汎用表示機器表示部分の情報量の比較図
【符号の説明】
１  画像データ取得部
２  画像縮小率入力部
３  画像データ縮小部
４  余白部分付加部
５  画像データ出力部
６  画像サイズ検知部
【図１】
2004240165.tif 000003
【図２】
2004240165.tif 000004
【図３】
2004240165.tif 000005
【図４】
2004240165.tif 000006
【図５】
2004240165.tif 000007